(57)【要約】  【課題】  放送受信圏外に位置したときでも、放送内容を継続して提供し得る移動型放送受信装置を提供する。  【解決手段】  放送局はＮＶＯＤサービスで複数のセグメントＡ〜Ｃについてデータストリーム（ＤＳ）を配信している。放送受信装置１００のＣＰＵ７は、圧縮された映像データ、圧縮された音声データと、コンテンツ情報と時間情報とから、利用者が指定したセグメント（Ａ）と近似するコンテンツを配信するセグメント（Ｃ）を抽出して、近似するセグメントのコンテンツをバックアップ用ＤＳとして記録メモリ６に保持し、放送受信装置１００が圏外状態になったとき、セグメントＡに該当する近似セグメント（Ｃ）のＤＳを記録メモリ６から読みだして復号する。すなわち、放送受信装置１００が圏外のとき近似セグメントのＤＳでセグメントＡのＤＳを代行する。【選択図】    図１
2006238187.tif 000002
【特許請求の範囲】
【請求項１】
複数のチャンネル又は複数のセグメントを使って一定間隔で同一のコンテンツを放送している前記チャンネル又はセグメントに含まれるコンテンツを受信する受信手段と、
該受信手段により受信して再生しているチャンネル又はセグメントに含まれるコンテンツの開始時間よりも先行して関始しているコンテンツを含むチャンネル又はセグメントに含まれるコンテンツを記録する記録手段と、
前記受信して再生しているコンテンツの再生が中断した場合、前記記録手段に記録されているコンテンツの再生に切り替えて再生する制御手段と、
を備えた移動型放送受信装置。
【請求項２】
前記制御手段は、前記コンテンツの再生が中断した中断ポイントと前記記録手段の記録内容に基づいて、コンテンツの再生に連続性がある場合に前記記録手段に記録されているコンテンツの再生に切り替えて再生することを特徴とする請求項１記載の移動型放送受信装置。
【請求項３】
複数のチャンネル又は複数のセグメントを使って一定間隔で同一のコンテンツを放送している前記チャンネル又はセグメントに含まれるコンテンツを受信する受信手段と、
該受信手段により受信して再生しているチャンネル又はセグメントに含まれるコンテンツの開始時間よりも先行して開始しているコンテンツを含むチャンネル又はセグメントを検出する検出手段と、
前記受信して再生しているコンテンツの再生が中断すると、再び再生を開始する場合には前記検出手段の検出結果に基づいて前記先行して開始しているコンテンツを含むチャンネル又はセグメントのコンテンツを受信して再生する制御手段と、
を備えた移動型放送受信装置。
【発明の詳細な説明】
【技術分野】
【０００１】
本発明はデジタル放送を受信可能な移動型放送受信装置に関する。
本発明は特に、移動型放送受信装置が受信圏外に位置しているときに、放送が受信できないことによる放送内容が再生できなくなる期間を少なくする技術に関する。
【背景技術】
【０００２】
移動型放送受信装置の受信する放送として、デジタル放送について例示する。
デジタル放送では１つの中継器を用いて複数の番組を放送することでチャンネル数の多い放送システムが構築されている。デジタル放送は、このようなデジタル放送の多チャンネル性という特徴を生かしたサービスの１つとして、ニアビデオオンデマンド（ＮＶＯＤ:Near Video On-Demand ）サービスが行われている。
【０００３】
ＮＶＯＤサービスの概要を述べる。
ＮＶＯＤサービスの概要を述べる前に、ビデオオンデマンド（ＶＯＤ:Video On-Demand）サービスについてについて述べる。
ＶＯＤサービスとは、加入者が要求したコンテンツ（映像と音声）の配信サービスを即座に行うものである。たとえば、映画などのコンテンツの配信を行う基地局（放送局）と複数の加入者（利用者）との間でコンテンツ配信に関する契約を交わし、加入者が基地局に希望するコンテンツの要求すると、基地局から加入者が希望したコンテンツを加入者に即座に配信するサービスである。
ＶＯＤサービスはリアルタイム性および即応性という観点において加入者にとって望ましいコンテンツ配信技術であるが、実用的な面ではいくつかの問題に遭遇する。たとえば、加入者の数が多くなると、基地局から各加入者個々に配信する映画などのビデオ情報を含むコンテンツ情報の量が膨大になり、通信容量の制限でリアルタイムにコンテンツを配信することが困難になる。次いで、たとえば、同じコンテンツについて、１分遅れで３０の加入者からの配信要求があったとき、基地局において１分遅れで３０の加入者に同じコンテンツを別々に配信する作業をしなければならず、基地局（サーバ）の負担が重い。
【０００４】
ＮＶＯＤサービスは、基地局から加入者が要求したコンテンツを加入者に配信するという基本的な点においてはＶＯＤサービスと同じであるが、ＶＯＤサービスの上述した問題を克服するため、ＶＯＤサービスにおける即時性を緩和して、ＶＯＤサービスに準じたサービスを行う技術である。
たとえば、基地局はあるコンテンツについて開始時間を、たとえば、３０分ごと時間をづらして複数のチャネル（またはセグメント）に一方的に配信する。たとえば、ある３０分以内に５の加入者がそのコンテンツの配信を希望した場合、その３０分間の前後の希望順位に係わらず、次の３０分後のコンテンツの開始時点から５の加入者が同じタイミングで希望したコンテンツを受信できる。加入者にとっては、即時性の点で劣るが、コンテンツの内容からして即時性の許容範囲内であれば余り支障ない。他方、基地局の配信のための処理負担は著しく軽減し、映像データを含むコンテンツの通信量も著しく低減するので通信トラフィックの観点でも負担が軽くなる。
【０００５】
このようなＮＶＯＤサービスの特徴を生かして、複数のチャンネルの各番組を一括して記録して、その記録されたデータ内の関連情報に基づいて時系列的に１つのコンテンツを生成することを最短時間で行うことを提案しているものもある。
【０００６】
又、近年の車載用マルチメディア機器や、携帯電話端末装置など移動受信型のデジタル受信端末装置では電波が受信できない状態が地域性などの影響を含めて存在する。そのため、電波が受信できない状態などで発生するデータの欠落を補完するために、携帯電話機などの通信網経由で欠落データを補完するためのデータを取得し、デジタル放送データの受信と、通信機器経由からの補完データの連続性を保ち、利用者に対してデータの途切れを低減させるためのデジタル放送を提供する技術を提案しているものもある。
【０００７】
また、近年、携帯電話機にテレビチチューナを内蔵する技術が知られている（例えば、特許文献１参照）。また、地上波デジタル放送または衛星デジタル放送では、主に携帯性の高い小型受信機向けに、１または３セグメントの伝送帯域を使用した放送が予定されている。
【特許文献１】特開２００２−９９２０号公報
【発明の開示】
【発明が解決しようとする課題】
【０００８】
上記に記載された技術を移動型放送受信装置への適用を想定した場合、複数チャネルの情報を一括で記録するためのＲＦ受信部の回路規模が増大し、記録するために必要なデータ格納メモリ容量が増大することが不可避となる。その結果、消費電力の増加に伴うバッテリ（電池）の使用時間の短縮、移動型放送受信装置の実装面積の増大、移動型放送受信装置の価格の高騰などの問題が発生することが予想される。
さらに、携帯電話機などの移動機端末装置における商品価値として挙げられる、通話時間、待ち受け時間についても問題が予想される。
【０００９】
また、上記に記載された他の技術は、携帯電話機などの通信網の受信範囲外では同じように欠落したデータ自体を受信できないことや、機器本来の目的である通信機能が妨げられること、データ通信情報料金が高騰するなどの問題が予想される。さらにこの技術は、通信網に接続可能な構成の機器でのみ実現できる技術であり、適用範囲が限定される。
【００１０】
移動型放送受信装置の利用において、利用者は、デジタル放送を受信できるデジタル放送受信圏内にいる場合と、デジタル放送を明瞭に受信できないデジタル放送受信圏外にいる場合とがある。もちろん、放送受信圏外にいる場合、移動型放送受信装置でデジタル放送を受信できないので、映像再生などの中断が起こる。
【００１１】
本発明の目的は、放送受信圏外に位置したときでも、放送内容を継続して視聴し得る移動型放送受信装置を提供することにある。
また本発明の他の目的は、放送受信圏外から再度放送受信圏内に戻ったとき、引き続き放送内容を継続して視聴し得る移動型放送受信装置を提供することにある。
【課題を解決するための手段】
【００１２】
本発明によれば、複数のチャンネル又は複数のセグメントを使って一定間隔で同一のコンテンツを放送している前記チャンネル又はセグメントに含まれるコンテンツを受信する受信手段と、該受信手段により受信して再生しているチャンネル又はセグメントに含まれるコンテンツの開始時間よりも先行して関始しているコンテンツを含むチャンネル又はセグメントに含まれるコンテンツを記録する記録手段と、前記受信して再生しているコンテンツの再生が中断した場合、前記記録手段に記録されているコンテンツの再生に切り替えて再生する制御手段と、を備えた移動型放送受信装置が提供される。
【００１３】
好ましくは、前記制御手段は、前記コンテンツの再生が中断した中断ポイントと前記記録手段の記録内容に基づいて、コンテンツの再生に連続性がある場合に前記記録手段に記録されているコンテンツの再生に切り替えて再生することを特徴とする。
【００１４】
また本発明によれば、複数のチャンネル又は複数のセグメントを使って一定間隔で同一のコンテンツを放送している前記チャンネル又はセグメントに含まれるコンテンツを受信する受信手段と、該受信手段により受信して再生しているチャンネル又はセグメントに含まれるコンテンツの開始時間よりも先行して開始しているコンテンツを含むチャンネル又はセグメントを検出する検出手段と、前記受信して再生しているコンテンツの再生が中断すると、再び再生を開始する場合には前記検出手段の検出結果に基づいて前記先行して開始しているコンテンツを含むチャンネル又はセグメントのコンテンツを受信して再生する制御手段と、を備えた移動型放送受信装置が提供される。
【発明の効果】
【００１５】
本発明によれば、移動型放送受信装置の利用者が放送受信時に放送内容が受信できない放送受信圏外に入った場合、前もって記録手段に記録されている同コンテンツの放送内容から連続性を保ちながら復号して、表示装置、音出力装置などに映像と音とを出力することにより、放送受信利用者へ途切れなく放送内容を提供しうる。
【００１６】
また本発明によれば、記録手段のメモリが不足する場合またはデータストリームを記録しない場合でも、放送受信圏内において、視聴中に放送受信圏外に入り、再度、放送受信可能圏内に入った場合には、出来るだけ連続して視聴出来るように、記録手段に格納された視聴中断の時間情報と、圏内に入った時点での他のセグメントで配信されている同コンテンツの時間情報を比較し、最も近い時間情報を有した他のセグメントから受信されるデータストリームを受信することにより、利用者はスムースに引き続いて視聴を再開することができるといった利用者に対して不便や不快感を与えない、効果的な機能を提供できる。
【発明を実施するための最良の形態】
【００１７】
本発明の移動型放送受信装置の好適な実施の形態について図面を参照して述べる。
【００１８】
第１実施の形態
図１〜図４を参照して本発明の放送受信装置の第１実施の形態として、デジタル放送を受信して再生する移動型放送受信装置について述べる。
図１は本発明の移動型放送受信装置の第１実施の形態としての移動型放送受信装置の構成を図解したブロック図である。
第１実施の形態においては、デジタル放送を提供する放送局から複数の移動型放送受信装置に対して、図２（Ａ）〜（Ｃ）に図解したニアビデオオンデマンド（ＮＶＯＤ）サービス方式で、映像、音声などのコンテンツが配信されている場合について例示する。
図３〜図４は図１に図解した移動型放送受信端末装置１００の動作を説明するフローチャートである。
【００１９】
本発明の実施の形態における放送受信装置は、放送を受信することが可能な「圏内」と、放送を受信できない「圏外」とに位置する場合を想定しているから、携帯型または移動型の放送受信装置である。
本発明の実施の形態における移動型放送受信装置は、デジタル放送の受信でもアナログ放送の受信でもよい。
【００２０】
図２（Ａ）〜（Ｇ）を参照してＮＶＯＤサービスについて述べる。
デジタル放送局は、複数の移動型放送受信端末装置に配信するコンテンツ、たとえば、映画放送内容を、たとえば、１／３に分割し、１／３に分割した各分割コンテンツａ，ｂ，ｃを各セグメントごと連続的かつ循環的に送出する。ただし、セグメントＢはセグメントＡに対して、１分割コンテンツだけずらして送出され、セグメントＣはセグメントＢに対して１分割コンテンツだけずらして送出される。
１分割コンテンツを伝送単位ともいう。
このように、放送局からセグメントＡ〜Ｃのコンテンツが送出されていると、たとえば、ある移動型放送受信装置が時点ｔ１において、コンテンツの最初の分割コンテンツａからコンテンツを受信しようとした場合、セグメントＢを選択する。そうすると、セグメントＢの最初の分割コンテンツａの配信タイミングが到来すると、セグメントＢの最初の分割コンテンツａから順次分割コンテンツｂ、ｃを受信しその放送内容を復号して再生したコンテンツを視聴できる。他方、かりに時点ｔ１において、セグメントＡを選択すると、セグメントＡの分割コンテンツｂの配信タイミングに到来すると、分割コンテンツｂから分割コンテンツｃ、ａを受信して、その放送内容を視聴できる。時点ｔ１において、セグメントＣを選択すれば、セグメントＣの分割コンテンツｃの配信タイミングまで待って分割コンテンツｃから、分割コンテンツａ、ｂを受信して、その放送内容を視聴できる。
時点ｔ２、ｔ３についても同様である。
【００２１】
ＮＶＯＤサービスは、ＶＯＤサービスのように、たとえば、時点ｔ１において配信を要求したとき、時点ｔ１からコンテンツの最初が配信されるのではなく、移動型放送受信装置は、放送局から配信している分割コンテンツの配信タイミングに応じて分割コンテンツを受信する。
【００２２】
本実施の形態においては、デジタル放送局は上述した分割コンテンツをＯＦＤＭ変調してデジタル放送波として送出している。
デジタル放送波は、たとえば、ＭＰＥＧ方式やＨ．２６４方式で圧縮符号化された映像データ（ビデオ信号）や音声データ（オーディオ信号）と、これら圧縮符号化された映像データおよび音声データに付加されたコンテンツ情報、これら圧縮符号化された映像データおよび音声データの同期をとるためなどに使用する時間情報が、マルチパス対策、ノイズ対策などのため、直交周波数分割多重化（ＯＦＤＭ（Orthgonal Frequncy Division Multiplexing) 変調技術を用いて、データ・ストリームＤＳ（またはトランスポートストリームＴＳ）として、デジタル放送局のアンテナからから無線周波数の信号として空中に放射される。
【００２３】
本実施の形態において、上記映像データおよび音声データを総称してコンテンツと呼ぶ。コンテンツがデジタル放送番組の内容である。
上記コンテンツ情報と上記時間情報とを圧縮符号化された映像データおよび音声データに関連する情報、すなわち、関連情報と呼ぶ。
【００２４】
本実施の形態においては、図２（Ａ）〜（Ｃ）に例示したように、デジタル放送内容は３セグメント（またはチャンネル）である。
【００２５】
図１に図解した移動型放送受信装置（以下、放送受信装置と言う）１００の構成を述べる。
放送受信装置１００は、ＲＦ受信部１と、ＯＦＤＭ復調部２と、関連情報・データ分離部３と、選択スイッチ回路（ＳＷ）４と、データ復号化器５と、記録メモリ６と、ＣＰＵ７と、セグメント選択部８とを有する。
放送受信装置１００に、アンテナ１０と、表示器１２と、音出力部１４と、キー操作部１６を含めてもよい。
表示部１２は、デジタル放送の映像、数字、文字、図形などを表示し得るサイズと、分解能と、表示速度などの性能を有す、たとえば、液晶表示部（ＬＣＤ）や有機ＥＬディスプレイなどである。
音出力部１４は、デジタル放送の音声、音響など音を出力可能な性能を有する、たとえば、スピーカである。以下、人の肉声を意味する音声、音響などを含む広い用語を「音」といい、ただし、本明細書においては、人の肉声と記載しない限り、便宜的に「音声」と記載したとき広い意味の「音」を意味するものとする。
【００２６】
アンテナ１０はデジタル放送局からＮＶＯＤ方式で送出された、複数セグメント（本実施の形態では３セグメント）の高周波（ＲＦ）のデジタル放送波を受信する。
ＲＦ受信部１は、チューナー（同調器）を含み、アンテナ１０で受信した複数のセグメントのうちの指定されたセグメントを選択して、増幅し、ベースバンドに周波数変換し、ＯＦＤＭ復調部２に出力する。
ＲＦ受信部１におけるセグメントの選択は、ＣＰＵ７からの指令に基づいて行われる。その選択方法としては、利用者がセグメント選択部８で選択したセグメントをＣＰＵ７を介してＲＦ受信部１に指定する他、バックアップ処理のために他のセグメントのコンテンツなどを受信するための、利用者を介さずＣＰＵ７から指令される場合である。
【００２７】
ＯＦＤＭ復調部２は、ＲＦ受信部１において選択されたセグメントの、ＯＦＤＭ変調されているコンテンツ（圧縮符号化された映像データおよび音声データ）と、圧縮符号化された映像データおよび音声データに付加されたコンテンツ情報と、圧縮符号化された映像データおよび音声データに付加された時間情報とを、ＯＦＤＭ復調、すなわち、直交周波数分割デマルチプレクシング復調を行う。
【００２８】
関連情報・データ分離部３は、ＯＦＤＭ復調部２において復調して取り出したデータから、圧縮符号化された映像データと、圧縮符号化された音声データと、圧縮符号化された映像データおよび音声データに付加されたコンテンツ情報と、圧縮符号化された映像データおよび音声データに付加された時間情報とを、それぞれ分離する。
関連情報・データ分離部３で分離した各データは、選択スイッチ回路（ＳＷ）４を経由してデータ復号化部５に送出されるとともに、記録メモリ６に送出される。
【００２９】
記録メモリ６は、放送受信装置１００を使用している利用者がデジタル放送受信圏外にいて放送受信装置１００でデジタル放送を受信できないときに、データの補完を行うことを目的としたバックアップ用データストリーム（またはリアルタイムデータストリーム）を復号処理するデータストリーム内関連情報を、ＣＰＵ７の制御のもとで、格納するデータ記録手段である。
そのため、ＣＰＵ７の制御のもとで、記録メモリ６は、関連情報・データ分離部３において分離された、圧縮符号化映像データ、圧縮符号化音声データ、コンテンツ情報、時間情報を記録する。尚、記録メモリ６は、分離していないデータストリームを記録しても良い。
【００３０】
選択スイッチ回路４は、ＣＰＵ７からの切換制御信号Ｓ７１に応じて、当該選択スイッチ回路４に入力される、関連情報・データ分離部３の出力、または、記録メモリ６の出力を切り換えてデータ復号化部５に出力する。
【００３１】
データ復号化部５は、ＣＰＵ７からの制御指令Ｓ７２に基づいて、選択スイッチ回路４から入力された圧縮符号化映像データと圧縮符号化音声データとを前記コンテンツ情報および時間情報を参照して両者の同期をとりながら、たとえば、ＭＰＥＧ方式で復号し、復号したデジタル放送の映像データＶＤを表示部１２に出力して映像を再生し、復号したデジタル放送の音声データＡＤを音出力部１４に出力して音声を再生する。
このように、復号された映像と音声とは時間情報を参照して同期が取られて表示部１２と音出力部１４に出力される。これにより、利用者は放送受信装置１００においてデジタル放送番組を視聴することができる。
【００３２】
ＣＰＵ７は、コンピュータ、たとえば、マイクロコンピュータのＣＰＵであり、放送受信装置１００全体の制御を行う制御手段として機能し、図示しないＲＯＭに格納された各種プログラムに従って下記に述べる処理を行う。また、ＣＰＵ７には図示しないＲＡＭが接続されており、そのＲＡＭはＣＰＵ７の一時的なメモリとして使用される。
記録メモリ６もＣＰＵ７に接続されており、記録メモリ６へのデータ書き込み（記憶）、記録メモリ６からデータの読み出しは、ＣＰＵ７の制御のもとで行われる。
ＣＰＵ７、図示しないＲＡＭおよびＲＯＭ、および、記録メモリ６は、コンピュータシステムを構成している。
【００３３】
セグメント選択部８は、放送受信装置１００の利用者が行うセグメントを選択するためのキー操作部１６のキー操作に応じて利用者のセグメント選択を受け付ける。セグメント選択部８で受け付けたセグメントがＣＰＵ７を介してＲＦ受信部１に入力され、ＲＦ受信部１は上述したように、アンテナ１０で受信した複数のセグメントを含むデジタル放送波のうち、利用者が選択した特定のセグメントを選択出力する。
【００３４】
図１において、ＲＦ受信部１からＯＦＤＭ復調部２へ、ＯＦＤＭ復調部２から関連情報・データ分離部３へ、関連情報・データ分離部３から選択スイッチ回路４へ、関連情報・データ分離部３から記録メモリ６へ伝送されるリアルタイム（実時間）受信データ・ストリーム（ＲＴ・ＤＳ）をそれぞれ、符号１１、１３、１５、１８で示す。
ＲＦ受信部１からＯＦＤＭ復調部２へ、ＯＦＤＭ復調部２から関連情報・データ分離部３へ、関連情報・データ分離部３から記録メモリ６へ伝送されるバックアップ用データ・ストリーム（ＢＵ・ＤＳ）をそれぞれ、符号１２、１４、１７で示す。
符号１６は選択スイッチ回路４からデータ復号化部５に出力される、コンテンツ、コンテンツ情報、時間情報を示す。
符号１９は記録メモリ６から選択スイッチ回路４に出力される、バックアップ用コンテンツ、コンテンツ情報、時間情報を示す。
【００３５】
図３および図４は図１に示した放送受信装置１００における、利用者からの操作により特定のセグメント選択時の放送受信装置１００の動作シーケンスを示すフローチャート、特に、ＣＰＵ７の動作シーケンスを示すフローチャートである。
図２（Ａ）〜（Ｇ）を参照して放送受信装置１００の基本動作を述べる。
なお、例示として、放送受信装置１００の利用者が、キー操作部１６およびセグメント選択部８を用いて選択したセグメントを「Ａ」とする。
【００３６】
ステップ１（Ｓ１）：セグメントの選択操作
利用者が、デジタル放送局から放送される複数のセグメントのうち、たとえば、電子番組案内（ＥＰＧ：Electric Program  Guide ）などを参照して、キー操作部１６を介してセグメント選択部８から特定のセグメントを選択する。
【００３７】
ステップ２（Ｓ２）：初期受信・セグメント選択
利用者が指示したセグメントＡはセグメント選択部８からＣＰＵ７に入力され、ＣＰＵ７はＲＦ受信部１に対してセグメントＡを選択すべきセグメント選択指令Ｓ７３を通知する。
ＲＦ受信部１は、アンテナ１０で受信したデジタル放送の複数のセグメントＡ，Ｂ，Ｃうちセグメント選択指令Ｓ７３で指定されたセグメントＡに同調させてデジタル放送の受信を試みる。ＣＰＵ７はＲＦ受信部１の受信状態信号Ｓ１を入力する。
受信状態信号Ｓ１としては、受信状態のレベルを示す情報を含む。たとえば、ＲＦ受信部１はアンテナ１０の受信信号をチェックして、振幅がほぼ０であり、全く受信できない状態（０）から、振幅レベルが変動したりノイズが多い状態（１〜４）、ある程度正常な状態（５〜７）、かなり正常には受信できた状態（８〜１０）の間で受信レベルに応じた値０〜１０として示す。
【００３８】
ステップ３（Ｓ３）：受信状態の判定
ＣＰＵ７は受信状態信号Ｓ１をチェックして、アンテナ１０においてデジタル放送内容をある程度正常に受信しており、ＲＦ受信部１が指定されたセグメントＡを選択できているとき、ステップ５（Ｓ５）の正規受信処理に移行してセグメントＡを再生する。正常に受信できなかったときは、ステップ４（Ｓ４）の「圏外通知」処理に移行する。
【００３９】
ステップ４（Ｓ４）：圏外通知処理
ＲＦ受信部１がデジタル放送のセグメントＡを正常に受信できないときは、ＣＰＵ７は、データ復号化部５を介して、あるいは、データ復号化部５を介さず直接、表示部１２に、当該放送受信装置１００がデジタル放送波を受信可能圏内にはいないことことを示す、「圏外通知」を示すメッセージおよび／または図形を表示する。
その後、放送受信装置１００は上記圏外通知メッセージを出力して処理を打ち切る。あるいは、ＣＰＵ７は、破線で示したように、ステップ２の処理に戻り、ＲＦ受信部１を一定間隔で、デジタル放送波の受信およびセグメント選択を試みさせ、ステップ３の判定により受信可能になったら、ステップ５の処理に移行させてもよい。
【００４０】
ステップ５（Ｓ５）：リアルタイムデータ・ストリーム（ＲＴ・ＤＳ）の受信〜復号・再生
ＲＦ受信部１から連続的に出力されるセグメントＡについてＯＦＤＭ復調部２、関連情報・データ分離部３、選択スイッチ回路４、データ復号化部５において、処理が行われて、表示部１２と音出力部１４に再生された映像と音声が連続的に出力される。
ＲＦ受信部１は、選択したセグメントＡの連続的なデジタル放送内容をリアルタイム・データ・ストリーム（ＲＴ・ＤＳ）１１としてＯＦＤＭ復調部２に出力する。ＲＴ・ＤＳ１１は、上述したように、ＯＦＤＭ変調されている、コンテンツ（圧縮符号化された上記映像データおよび音声データ）と、上記コンテンツ情報と、上記時間情報とを含む。
ＯＦＤＭ復調部２は、ＲＦ受信部１から出力されたＲＴ・ＤＳ１１に含まれる、上記コンテンツ、上記コンテンツ情報と、上記時間情報とをＯＦＤＭ復調して、ＲＴ・ＤＳ１３として関連情報・データ分離部３に出力する。
関連情報・データ分離部３は、ＲＴ・ＤＳ１３に含まれている復調された、コンテンツ（映像データ、音声データ）と、コンテンツ情報と、時間情報とを分離する。分離されたこれらのデータは、関連情報・データ分離部３からＲＴ・ＤＳ１５、１７として、選択スイッチ回路４および記録メモリ６に出力される。
ＣＰＵ７は、選択スイッチ回路４に対してＲＴ・ＤＳ１５を選択してデータ復号化部５に入力するように選択指令Ｓ７１を出力する。これにより、ＲＴ・ＤＳ１５はデータ復号化部５に入力されて、データ復号化部５において映像データが復号されて表示部１２に表示（再生）され、音声データが復号されて音出力部１４から出力（再生）される。復号された映像データと音声データとは、時間情報を用いて同期が取れている。これにより、利用者は、選択したセグメントＡについてのコンテンツ（映像と音声）が表示部１２と音出力部１４から出力される。
【００４１】
ＣＰＵ７は上述したステップ５における処理と並行して、放送受信装置１００が受信圏外に位置したときの対策として下記の処理を行う。
【００４２】
ステップ６〜７（Ｓ６〜Ｓ７）：メモリ容量チェック
ＣＰＵ７は、記録メモリ６に、バックアップ用のコンテンツ（映像データ、音声データ）、コンテンツ情報、時間情報を保存すべき十分なメモリ空き容量があるか否かをチェックする（Ｓ６）。
記録メモリ６にそのようなメモリ領域が存在しない場合、ＣＰＵ７は、セグメントＡのリアルタイム受信データ・ストリーム（ＲＴ・ＤＳ）１１のうち、コンテンツ情報と時間情報のみを順次記録していく（Ｓ７）。すなわち、ここでは、すでにステップ５において復号されて再生されている映像データと音声データとは記録せず、コンテンツの連続性と時間の連続性を確認するための情報として、情報量の少ない、セグメントＡのコンテンツ情報と時間情報のみ記録しておく。もちろん、記録メモリ６にはこの種のデータを記録できるメモリ領域は事前に容易されている。
その後、ＣＰＵ７は、ステップ５の動作に戻る。
【００４３】
ステップ６、８〜９（Ｓ６、Ｓ８〜Ｓ９）：バックアップ処理（１）
記録メモリ６にバックアップ用のコンテンツを保存できるだけのメモリ領域が存在する場合は（Ｓ６）、セグメントＡのコンテンツのバックアップ用のコンテンツを保存するための処理を行う。
ＣＰＵ７は、たとえば、既に得られたＥＰＧ情報を基に、セグメントＡのコンテンツのバックアップ用として、セグメントＡのコンテンツと同じコンテンツが配信されている他のセグメントをサーチして抽出する（Ｓ８）。そのような他のセグメントがあれば（Ｓ９）、ステップ１０の処理に移行する。他のセグメントが存在しない場合は、ステップ５の処理に戻る。
本実施の形態ではセグメントＡと同じコンテンツを配信しているセグメントＢとＣが存在するから、セグメントＢとＣを抽出して、図４のステップ１０の処理に移行する。
【００４４】
ステップ１０〜１２（Ｓ１０〜Ｓ１２）：近似セグメントの抽出
ＣＰＵ７は、セグメントＡのバックアップ用データ・ストリーム（ＢＵ・ＤＳ）としてＲＦ受信部１に抽出されたセグメントＢ、Ｃのコンテンツを抽出するよう順次、指令する。これにより、ＲＦ受信部１からセグメントＢおよびセグメントＣのデータストリームがＢＵ・ＤＳ１２として順次得られ、これらのＢＵ・ＤＳ１２について順次、ＯＦＤＭ復調部２、関連情報・データ分離部３を介してバックアップ用のコンテンツ、コンテンツ情報、時間情報からなるデータストリーム１４、１８が得られる（Ｓ１０）。
ＣＰＵ７は、得られたＢＵ・ＤＳ１８におけるコンテンツ情報と時間情報（相対時間情報）を用いて、セグメントＡのコンテンツに対するコンテンツ経過時間を抽出する（Ｓ１１）。すなわち、ＣＰＵ７は、セグメントＡのコンテンツの受信から他のセグメントの対応するコンテンツが受信された相対経過時間を検出する。
ＣＰＵ７は、求めたセグメントＢとセグメントＣの相対経過時間を比較して、セグメントＡに近似するセグメント、つまり、コンテンツＡの開始時間より先行して開始しているセグメント（コンテンツ）を抽出する（検出する）（Ｓ１２）。本例では、セグメントＣがセグメントＡに近似している。
【００４５】
ステップ１３〜１６（Ｓ１３〜Ｓ１６）：選択／近似セグメントの受信と記録
ＣＰＵ７は、利用者が選択したセグメントＡと、このセグメントＡに近似しているコンテンツを配信しているセグメントＣのデータストリームを受信するよう、ＲＦ受信部１に指令する（Ｓ１３）。その結果、関連情報・データ分離部３から、セグメントＡとセグメントＣとのコンテンツ（映像データと音声データ）、コンテンツ情報、時間情報を得られる。
ＣＰＵ７は、記録メモリ６にセグメントＡのコンテンツ情報、時間情報を記録する空きメモリ、および、セグメントＣのコンテンツ、コンテンツ情報、時間情報を記録する空きメモリが存在するか否かをチェックする（Ｓ１４〜Ｓ１５）。
記録メモリ６にセグメントＡのコンテンツ情報、時間情報を記録する空きメモリが存在すれば、ＣＰＵ７はその空きメモリにコンテンツ情報、時間情報を記録する（Ｓ１５）。
そのような空きメモリが存在しないときは、ＣＰＵ７は以前に記録したセグメントＡの古いデータ記録部分にセグメントＡのコンテンツ情報、時間情報を上書きする（Ｓ１６）。それにより、古いセグメントＡのデータは消去される。
次に図５においてＣＰＵ７は、記録メモリ６に近似セグメントであるセグメントＣのコンテンツ、コンテンツ情報、時間情報を記録する空きメモリが存在すれば（Ｓ１７）、その空きメモリにコンテンツ、コンテンツ情報、時間情報を記録するが（Ｓ１８）、そのような空きメモリが存在しないときは、セグメントＣのデータは記録しない（Ｓ１６）。尚、記録されるコンテンツは分離されていないデータストリームでも良い。
【００４６】
ステップ１９〜２０（Ｓ１９〜Ｓ２０）：時間の比較、近似セグメントの上書き
ＣＰＵ７は、近似セグメントであるセグメントＣから受信し記録メモリ６に格納されている先頭データの時間情報（τ１）と、セグメントＡの視聴時間最新時間情報（τ２）を比較する（Ｓ１９）。
ＣＰＵ７は、「記録されているセグメントＣの先頭データ時間情報（τ１）」＝「セグメントＡの視聴時間最新時間（τ２）情報」となった時点で、受信するセグメントＣのデータストリームを記録メモリ６のセグメントＣの部分に上書きし始める（Ｓ２０）。これによりセグメントＣのデータストリーム格納用の記録メモリ６の使用領域を最低限に抑えることが可能となる。
同じように、ステップ１７における判定で、セグメントＣのバックアップデータストリーム１２の格納領域不足により、記録メモリ６へのデータストリーム格納を停止している場合も、再び、記録メモリ６へのセグメントＣのバックアップ受信データストリーム１２を記録メモリ６に格納することが可能となる（Ｓ１８）。
【００４７】
以上により、放送受信装置１００が受信圏外に位置したときに使用する、セグメントＡのデータストリームのバックアップのデータストリームが記録メモリ６に保存された。
【００４８】
さらに、図２（Ａ）〜（Ｇ）参照して詳細に述べる。
図２（Ｄ）〜（Ｆ）は、各セグメントにおける相対時間を示す。図２（Ｇ）は記録メモリ６への格納情報を示す。
【００４９】
図２に示したように、ＣＰＵ７の制御のもとで、セグメントＡのデータストリームを受信し利用者が視聴し始めると同時にセグメントＣのデータストリームを記録メモリ６に格納し始める（ts時間）。
ＲＦ受信部１でセグメントＡのリアルタイム受信データ・ストリーム（ＲＴ・ＤＳ）１１を受信可能な状態が「tx時間」まで続いたとする。その場合、利用者はリアルタイムに「tu時間→tx時間」のデータストリームを表示部１２および音出力部１４で視聴出来ているため、「tu時間」以降の記録メモリ６に格納されたセグメントＣから得られたバックアップ用データ・ストリーム（ＢＵ・ＤＳ）１２を記録メモリ６から消去する。したがって、その後、消去された記録メモリ６の領域に新たに「tu時間→tx時間」のセグメントＣのデータストリームを順次上書きすることが可能となる。
すなわち、放送受信装置１００におけるデジタル放送受信時では、放送受信装置１００内の記録メモリ６の必要領域は、図２（Ｇ）に示したように、「tu時間⇔ty時間」におけるセグメントＡのデータストリームに対応するセグメントＣのデータストリームを格納するだけの容量でよいことになる。
【００５０】
圏外処理
上記のようにバックアップ用データストリームを保存した状態において、放送受信装置１００が受信圏外に位置したときの動作例を、図２（Ａ）〜図２（Ｇ）、図６〜図７を参照して述べる。
【００５１】
利用者がセグメントＡのデータストリームを受信している状態で（図６、Ｓ２１〜Ｓ２２）、「ts時間」に受信圏外になって再生が中断した場合（図６、Ｓ２２、Ｓ２３）を想定する。この場合、セグメントＡの近似セグメントであるセグメントＣのデータストリームをバックアップ用データ・ストリームとして記録メモリ６に格納されたデータストリームは、図２（Ｄ）に示した「相対時間１１」の対象となるデータのみである。その場合、利用者が視聴できたデータは「相対時間１」に対するデータのみであり、これらのデータ間には連続性がないことが、ＣＰＵ７において容易に判別できる（Ｓ２３〜Ｓ２５）。そのため、ＣＰＵ７は表示部１２などにおいて放送受信装置１００が受信圏外である旨の通知と、記録メモリ６に連続したデータが存在しない旨を通知する（Ｓ２６）。
記録メモリに格納された「相対時間１１」に対するデータの表示要求がある場合は、ＣＰＵ７は記録メモリ６から該当するデータを読み出し（Ｓ２８）、読み出したデータの復号処理を行なわせ、復号されたデータを表示部１２に表示し、記録メモリ６内の読み出したデータを消去し（Ｓ２９）、データなし状態として（Ｓ３０）、任意の表示を行う（Ｓ３１）。上記データの表示要求がない場合は、ＣＰＵ７はステップ３１の処理に移行する。
【００５２】
次に「tz時間」になった時、放送受信装置１００が受信圏内に移動し、再度デジタル放送が受信可能状態に移行し、再び再生処理が開始されたとする（図７、Ｓ４１）。
その場合、セグメントＡを受信しても相対時間２と３に対するデータストリームが視聴出来ていない状態であるため、データが欠落した（データが途切れた）状態を通知し、欠落しても（Ｓ４３）利用者が視聴を続けるか（Ｓ４４、Ｓ４５、Ｓ４６）、または、セグメントＡからの受信圏外のために視聴出来なくなった相対時間１に対するデータに最も近いデータストリームを配信するセグメントＢをサーチし、最も近いセグメントＢから再度受信を始めるかを選択可能にする。そして、中断した時点に近い時間の放送を指しているセグメントＢを選択した場合、利用者が視聴した相対時間１に対するデータが受信可能になるまでの時間「相対時間２４〜３０、または、相対時間１まで」まで待つか、すぐに表示するかを選択可能なようにＣＰＵ７から表示部１２などに通知し、利用者によるキー操作部１６のキー操作にともなう入力を待つ（Ｓ４７〜Ｓ４８）。そして、各入力に基づいてサーチを行なったり、受信を開始したりする。
【００５３】
利用者からセグメントＢの受信通知があった場合（Ｓ４８）、受信したデータ復号化部５にはセグメントＢのデータストリームにある映像データ、音声データを再生し（Ｓ４９）、更にセグメントＢの時間情報と最も近いセグメントＡのデータストリームを記録メモリ６に格納し始める（Ｓ５１）。
【００５４】
またセグメントＢの受信通知があり（Ｓ４８）、且つ、相対時間２に対するデータ視聴通知があった場合には、相対時間２までの待ち時間を表示するとともに、セグメントＢの時間情報と最も近いセグメントＡのデータストリームを記録メモリ６に格納する（Ｓ５０〜Ｓ５１）。
【００５５】
利用者が、相対時間３０または相対時間１まで待った上で視聴する選択を行った場合は、ＣＰＵ７は、表示部１２への表示または音出力部１４への音声出力はデジタル放送以外の任意な情報を出力可能な状態とし、「tu時間」となり次第、データ復号化部５へセグメントＢから受信したデータを出力し始める（Ｓ５０〜Ｓ５１）。但しこの場合、「tz時間⇔tu時間」の間、利用者から通知があったセグメントＢに最も近い時間情報であるセグメントＡからのデータストリームは記録メモリ６へ格納し続けることにより、「tu時間」以降、再度、放送受信装置１００の状態が受信圏外になった場合に備える。
【００５６】
次に「tx時間」にセグメントＡを受信していた放送受信装置１００が受信圏外となって再生が中断した場合の動作に関して図８を参照して述べる。
ＣＰＵ７は、この場合セグメントＡから受信した最後のデータストリームにおける相対時間情報１２（中断ポイント）に対し（Ｓ６３）、記録メモリ６に格納されたセグメントＣの相対時間情報１３〜２２をＣＰＵ７が取得して（Ｓ６４）、両者を比較する。この例示においては、ＣＰＵ７はセグメントＡの相対時間情報１２に対し、記録メモリ６内の格納データストリームの相対時間情報が１３〜２２までのため連続性があると判断できる（Ｓ６５）。その場合、ＣＰＵ７はセグメントＡの受信圏内外状態をモニタしながら（Ｓ６６〜Ｓ６８）、記録メモリ６内の連続データストリームの有無を確認して（Ｓ６９）、あるときは、圧縮された映像データ、音声データをデータ復号化部５へ出力して再生するよう選択スイッチ回路４を動作させる。
【００５７】
また、リアルタイムに受信しているセグメントと同コンテンツを配信しているデータストリーム内にある圧縮された映像データ、音声データが記録メモリ６の容量不足により格納できなかった場合について、図２（Ａ）〜（Ｇ）、図５を参照して考察する。
【００５８】
セグメントＡを受信時、「tx時間」に受信圏外が通知され、データストリームが受信出来なくなった場合、前提としてセグメントＡ以外の他セグメントのデータは記録メモリ６に格納されていないために、ＣＰＵ７は表示器１２を介して利用者に対して放送受信装置１００のセグメントＡの受信が出来なくなった旨を通知する。
次に、時間が経過して「ty時間」でセグメントＡのデータストリームが再び受信可能となった時、ＣＰＵ７は、先にセグメントＡから受信した最後のデータストリームにおける相対時間１２に対し、同コンテンツを配信しているセグメントＡ以外の全てのセグメントＢ及びセグメントＣの相対時間情報を取得する。この場合、図２（Ａ）〜（Ｇ）、図５で分かると通り、セグメントＢは相対時間１２、セグメントＣは相対時間２であることが判別でき、セグメントＢからデータストリームを受信するように切り替えることにより、利用者が視聴する映像データ、音声データに関して無駄なく連続性を保つことが可能となる。
【００５９】
以上述べたように、本発明の移動型放送受信装置の第１実施の形態の放送受信装置１００によれば、放送受信装置１００の利用者が放送受信時に放送内容が受信できない放送受信圏外に移動した場合、前もって記録メモリ６に保存（記録）されている同コンテンツの放送内容から連続性を保ちながら復号して、表示部１２、音出力部１４に映像と音とを出力することにより、放送受信利用者へ途切れなく放送内容を提供しうる。
【００６０】
また第１実施の形態によれば、記録メモリ６のメモリが不足する場合またはデータストリームを記録しない場合でも、放送受信圏外から、再度、放送受信装置１００が放送受信可能圏内に移動した場合には、視聴していたコンテンツの続きに対応するデータストリームを受信して連続して視聴可能なように、記録メモリ６に格納された時間情報と、その時点で他のセグメント（セグメントＣ）で配信されている同コンテンツの時間情報を比較し、最も近い時間情報を有した他のセグメント（セグメントＣ）から受信されるデータストリームをデータ復号化部５に入力することにより、利用者はスムースに引き続いて視聴を再開することが出来る。
【００６１】
第２実施の形態
第１実施の形態としては、複数セグメントを用いてＮＶＯＤサービスに基づくコンテンツを受信する移動型デジタル放送受信装置１００の構成とその動作を述べたが、本発明の移動型放送受信装置は、上記内容に限定されることなく、複数のチャンネル間にてＮＶＯＤサービスを受信する場合でも、上記同様の構成を用いることによって、利用者へのデータ受信に関して途切れを低減させるデジタル放送を提供する事が可能となる。
【００６２】
第３実施の形態
さらに上記実施の形態では、デジタル放送の場合を例示したが、アナログ放送についても、本発明の移動型放送受信装置を適用できる。
その場合、デジタルデータに代えて、アナログデータの処理を行う回路構成にすればよい。もちろん、記録メモリ６への記録はデジタルデータであるし、ＣＰＵ７の判断はデジタルデータを用いて行うので、上述した判断処理などは、デジタルデータに変換して行う。
したがって、本発明の移動型放送受信装置は、移動型デジタル放送受信装置に限定されず、移動型アナログ放送受信装置にも適用できる。
尚、本発明は、複数のチャンネルやセグメントを使って一定間隔で同一のコンテンツを放送（ブロードキャスト）するシステムであれば適応可能である。
【図面の簡単な説明】
【００６３】
【図１】図１は本発明に係る移動型放送受信装置の第１実施の形態としての移動型デジタル放送受信装置のの構成を図解したブロック図である。
【図２】図２（Ａ）〜（Ｇ）は、図１に図解した移動型デジタル放送受信装置の動作を説明するための信号タイミング図であり、図２（Ａ）〜（Ｃ）はニアビデオオンデマンド（ＮＶＯＤ）サービスにおけるコンテンツの配信方法の例を示す図であり、図２（Ｄ）〜（Ｆ）はＮＶＯＤサービスにおける相対時間を図解した図であり、図２（Ｇ）は記録メモリへの格納情報を図解した図である。
【図３】図３は図１に図解した移動型デジタル放送受信装置の動作を示すフローチャート（その１）である。
【図４】図４は図３に続けて、図１に図解した移動型デジタル放送受信装置の動作を示すフローチャート（その２）である。
【図５】図５は図４に続けて、図１に図解した移動型デジタル放送受信装置の動作を示すフローチャート（その３）である。
【図６】図６は図１に図解した移動型デジタル放送受信装置が受信圏外となった時、記録メモリ内の格納データに連続性がない場合の処理を示すフローチャート（その１）である。
【図７】図７は図１に図解した移動型デジタル放送受信装置が受信圏外となった時、記録メモリ内の格納データに連続性がない場合の処理を示すフローチャート（その２）である。
【図８】図８は図１に図解した移動型デジタル放送受信装置が受信圏外となった時、記録メモリ内の格納データに連続性がある場合の処理を示すフローチャートである。
【符号の説明】
【００６４】
１００…移動型デジタル放送受信装置
１…ＲＦ受信部、２…ＯＦＤＭ復調部
３…関連情報・データ分離部、４…選択スイッチ回路
５…データ復号化器、６…記録メモリ
７…ＣＰＵ、…セグメント選択部
１０…アンテナ、１２…表示器、１４…音出力部
１６…キー部分
【図１】
2006238187.tif 000003
【図２】
2006238187.tif 000004
【図３】
2006238187.tif 000005
【図４】
2006238187.tif 000006
【図５】
2006238187.tif 000007
【図６】
2006238187.tif 000008
【図７】
2006238187.tif 000009
【図８】
2006238187.tif 000010